(57)【要約】【課題】ユーザーが休憩指示操作を忘れたときにも休憩時間の計測を開始することができる携帯型電子機器を提供する。【解決手段】携帯型電子機器１はユーザー４の操作を受け付けて休憩開始を表すレスト開始信号を出力する操作部１２と、ユーザー４の動きに基づく体動信号を出力する体動センサー１０と、ユーザー４の休憩時間を計測する計時部１１と、操作部１２、体動センサー１０及び計時部１１と電気的に接続された処理部７と、を備え、処理部７は、レスト開始信号を検出せず、かつ体動信号にユーザー４の動きに基づく周期成分を所定期間検出しなかった場合に、計時部１１による休憩時間の計測を開始する。【選択図】図２
2019017634.tif 000002
【特許請求の範囲】
【請求項１】
ユーザーの操作を受け付けて休憩開始を表すレスト開始信号を出力する操作部と、
前記ユーザーの動きに基づく体動信号を出力する体動センサーと、
前記ユーザーの休憩時間を計測する計時部と、
前記操作部、前記体動センサー及び前記計時部と電気的に接続された処理部と、を備え、
前記処理部は、
前記レスト開始信号を検出せず、かつ前記体動信号に前記ユーザーの動きに基づく周期成分を所定期間検出しなかった場合に、前記計時部による前記休憩時間の計測を開始することを特徴とする携帯型電子機器。
【請求項２】
請求項１に記載の携帯型電子機器であって、
前記操作部は前記ユーザーの操作を受け付けて運動開始を表す運動開始信号を出力し、
前記処理部は、
前記運動開始信号を検出した後で、前記処理部が前記レスト開始信号を検出した場合、または、前記レスト開始信号を検出せず、かつ前記体動信号に前記ユーザーの動きに基づく周期成分を所定期間検出しなかった場合に、前記計時部による前記休憩時間の計測を開始することを特徴とする携帯型電子機器。
【請求項３】
請求項１または２に記載の携帯型電子機器であって、
前記計時部は前記ユーザーが運動する運動時間を計測し、
前記計時部が前記運動時間を計測中に前記処理部が前記周期成分を検出しない状態になってから所定期間以内に前記周期成分を検出するとき、前記計時部は運動時間の計測を継続することを特徴とする携帯型電子機器。
【請求項４】
請求項１〜３のいずれか一項に記載の携帯型電子機器であって、
前記計時部が計測した前記休憩時間に関連する休憩情報を表示する表示部を備えることを特徴とする携帯型電子機器。
【請求項５】
請求項１〜４のいずれか一項に記載の携帯型電子機器であって、
前記処理部は、
前記休憩時間の計測を開始した後に、前記体動信号に前記ユーザーの動きに基づく周期成分を所定期間検出すると、前記計時部による前記休憩時間の計測を終了することを特徴とする携帯型電子機器。
【請求項６】
ユーザーの操作を受け付けて休憩開始を表すレスト開始信号を出力する操作部と、
前記ユーザーの動きに基づく体動信号を出力する体動センサーと、
前記ユーザーの休憩時間を計測する計時部と、
少なくとも前記計時部からの情報を表示する表示部と、
前記操作部、前記体動センサー、前記計時部及び前記表示部と電気的に接続された処理部と、を備え、
前記処理部が前記レスト開始信号を検出せず、かつ所定条件を満たす前記体動信号を所定期間検出しなかった場合に、前記計時部は前記休憩時間の計測を開始し、前記表示部は前記休憩時間に関連する休憩情報を表示することを特徴とする携帯型電子機器。
【請求項７】
請求項６に記載の携帯型電子機器であって、
前記所定条件を満たす体動信号は、連続した周期成分を含む信号であることを特徴とする携帯型電子機器。
【請求項８】
ユーザーの操作を受け付けて休憩終了を表すレスト終了信号を出力する操作部と、
前記ユーザーの動きに基づく体動信号を出力する体動センサーと、
前記ユーザーの休憩時間を計測する計時部と、
前記操作部、前記体動センサー及び前記計時部と電気的に接続された処理部と、を備え、
前記処理部が前記レスト終了信号を検出せず、かつ、前記ユーザーの動きに基づく周期成分を含む前記体動信号を検出する場合に、前記計時部は前記休憩時間の計測を終了することを特徴とする携帯型電子機器。
【請求項９】
請求項８に記載の携帯型電子機器であって、
前記計時部は、前記ユーザーが運動する運動時間を計測し、
前記操作部は、前記ユーザーの操作を受け付けて前記運動の終了を表す運動終了信号を出力し、
前記処理部は、
前記計時部が前記運動時間を計測中に前記運動終了信号を検出し、かつ、前記ユーザーの動きに基づく周期成分を含む体動信号を検出しないとき、前記計時部は前記運動時間の計測を終了し、
前記計時部が前記運動時間を計測中に前記運動終了信号を検出し、かつ、前記ユーザーの動きに基づく周期成分を含む体動信号を検出するとき、前記計時部は前記運動時間の計測を継続することを特徴とする携帯型電子機器。
【請求項１０】
請求項９に記載の携帯型電子機器であって、
前記操作部が前記レスト終了信号を出力する時刻を記憶するメモリーを備え、
ユーザーが編集を指示する操作を受け付けて前記操作部は編集信号を出力し、
前記処理部は編集信号を検出して前記レスト終了信号が出力された時刻で前記休憩時間を終了することを特徴とする携帯型電子機器。
【請求項１１】
請求項８〜１０のいずれか一項に記載の携帯型電子機器であって、
前記休憩時間を計測するとき、前記休憩時間を表示する表示部を備えることを特徴とする携帯型電子機器。
【発明の詳細な説明】
【技術分野】
【０００１】
本発明は、携帯型電子機器に関するものである。
【背景技術】
【０００２】
近年、ウェアラブルセンシング機器を携帯して水泳時の運動量や、パフォーマンスをモニタリングする手法が提案されている。具体的には、各種のセンサーを泳者の体に装着した状態で水泳を行い、その際のセンサー信号を取得する。取得されたセンサー信号に基づいて、水泳に関するフォーム解析、水泳時間、水泳距離、水泳速度等の計測や、消費カロリー計測を行う。さらにこれらの情報は、目標設定、トレーニング計画、当該計画の実施、レースペースの組み立て及びレース反省にも活用できる。
【０００３】
水泳におけるパフォーマンスを測定する測定装置が特許文献１に開示されている。それによると、測定装置はユーザーの手首に設置する携帯型電子機器である。そして、測定装置は加速度センサーを用いてユーザーが水泳状態か、ターン動作か、水泳を終了したかの判断をしていた。このユーザーは測定装置の利用者を示す。そして、測定装置はユーザーが泳いだ距離、時間、消費カロリーを演算して表示していた。
【０００４】
水泳のトレーニングを行うときユーザーが水泳状態と休憩状態とを反復する。水泳状態では疲労が蓄積し休憩状態では疲労が低減する。ユーザーは水泳状態にかける時間と休憩にかける時間とを管理してトレーニングする。従って、トレーニングを精度良く管理するために、水泳状態を開始する時刻、水泳状態から休憩状態に移行した時刻、休憩状態から水泳状態に移行した時刻、およびユーザーの状態変化を精度良く検出する必要があった。
【先行技術文献】
【特許文献】
【０００５】
【特許文献１】特開２０１０−２２７４０号公報
【発明の概要】
【発明が解決しようとする課題】
【０００６】
特許文献１の測定装置は加速度センサーの出力を用いて水泳状態か休憩状態かの分析をした。このとき、加速度センサーが出力する波形に周期性の成分が含まれるときにユーザーが水泳状態であると判断した。従って、ユーザーが複数回の反復動作を行うときに水泳が開始されたことが判断可能になる。ところが、水泳を終了したことを判断するときにも、所定の期間の波形を解析しないと判断ができない。このように加速度センサー等を用いるとき水泳状態と休憩状態との切替えを行うタイミングを瞬時に判断することが難しい。
【０００７】
そこで、水泳の開始及び終了はユーザーがスイッチ等を操作して、水泳の開始及び終了を指示検出することが考えられる。この操作により水泳状態と休憩状態との切替えを行った時を精度良く検出できる。しかし、ユーザーが水泳状態をつづけるとき疲労が蓄積するので、注意力が低下する。そのため、ユーザーが休憩指示操作を忘れることがある。そこで、ユーザーが休憩指示操作を忘れたときにも休憩時間の計測を開始することができる携帯型電子機器が望まれていた。
【課題を解決するための手段】
【０００８】
本発明は、上述の課題を解決するためになされたものであり、以下の形態または適用例として実現することが可能である。
【０００９】
［適用例１］
本適用例にかかる携帯型電子機器であって、ユーザーの操作を受け付けて休憩開始を表すレスト開始信号を出力する操作部と、前記ユーザーの動きに基づく体動信号を出力する体動センサーと、前記ユーザーの休憩時間を計測する計時部と、前記操作部、前記体動センサー及び前記計時部と電気的に接続された処理部と、を備え、前記処理部は、前記レスト開始信号を検出せず、かつ前記体動信号に前記ユーザーの動きに基づく周期成分を所定期間検出しなかった場合に、前記計時部による前記休憩時間の計測を開始することを特徴とする。
【００１０】
本適用例によれば、携帯型電子機器は操作部、体動センサー、計時部及び処理部を備えている。操作部はユーザーが休憩開始を指示する操作を受け付けてレスト開始信号を出力する。体動センサーはユーザーの動きに基づく体動信号を出力する。計時部はユーザーが休憩する休憩時間を計測する。そして、処理部は操作部、体動センサー及び計時部と電気的に接続されている。
【００１１】
ユーザーが休憩開始を指示する操作を行うとき、操作部は処理部にレスト開始信号を出力する。そして、処理部は計時部に休憩時間の計測を開始させる。ユーザーが反復動作の動き（水泳や歩行など）をするとき、処理部が体動信号にユーザーの動きに基づく周期成分を検出する。ユーザーが反復動作の動きをやめるとき、処理部には体動信号にユーザーの動きに基づく周期成分が検出されない。そして、ユーザーが休憩するときには反復動作が所定期間行われない。処理部は体動信号にユーザーの動きに基づく周期成分を所定期間検出できないとき、計時部に休憩時間の計測を開始させる。そして、計時部は休憩時間の計測を開始する。従って、ユーザーが休憩するときに操作部の操作をし忘れたときにも携帯型電子機器は休憩時間の計測を開始することができる。
【００１２】
［適用例２］
上記適用例にかかる携帯型電子機器において、前記操作部は前記ユーザーの操作を受け付けて運動開始を表す運動開始信号を出力し、前記処理部は、前記運動開始信号を検出した後で、前記処理部が前記レスト開始信号を検出した場合、または、前記レスト開始信号を検出せず、かつ前記体動信号に前記ユーザーの動きに基づく周期成分を所定期間検出しなかった場合に、前記計時部による前記休憩時間の計測を開始することを特徴とする。
【００１３】
本適用例によれば、ユーザーが運動開始を指示する操作を行うとき、操作部は運動開始を指示する操作を受け付けて運動開始信号を処理部に出力する。その後で、ユーザーが休憩開始を指示する操作を行うとき、操作部は休憩開始を指示する操作を受け付けてレスト開始信号を処理部に出力する。このとき、処理部は運動開始信号を検出した後で、レスト開始信号を検出する。そして、処理部は計時部に休憩時間の計測を開始させるので、計時部による休憩時間の計測が開始される。従って、ユーザーの指示に基づいて確実に計時部による休憩時間の計測を開始することができる。
【００１４】
ユーザーが運動開始を指示する操作を行うとき、操作部は運動開始を指示する操作を受け付けて運動開始信号を処理部に出力する。その後で、ユーザーが反復動作の動きをしないとき、処理部には体動信号にユーザーの動きに基づく周期成分が検出されない。体動信号にユーザーの動きに基づく周期成分が処理部に所定期間検出されないとき、計時部に休憩時間の計測を開始させる。そして、計時部は休憩時間の計測を開始する。従って、ユーザーが運動開始を指示する操作をして休憩開始を指示する操作を忘れたときにも携帯型電子機器は休憩時間の計測を開始することができる。
【００１５】
［適用例３］
上記適用例にかかる携帯型電子機器において、前記計時部は前記ユーザーが運動する運動時間を計測し、前記計時部が前記運動時間を計測中に前記処理部が前記周期成分を検出しない状態になってから所定期間以内に前記周期成分を検出するとき、前記計時部は運動時間の計測を継続することを特徴とする。
【００１６】
本適用例によれば、計時部は休憩時間に加えてユーザーが運動する運動時間を計測する。そして、ユーザーが反復動作をするときユーザーが運動する運動時間を計時部が計測する。ユーザーが反復動作を停止するとき、処理部が周期成分を検出しない状態になる。ユーザーが所定期間以内に反復動作を再開するとき、処理部が周期成分を検出しない状態になってから所定期間以内に周期成分を検出する。このとき、処理部は計時部に運動時間の計測を継続させる。従って、ユーザーが反復動作を停止しても、所定期間以内に反復動作を再開するとき計時部は運動時間を継続して計測する。その結果、ユーザーは携帯型電子機器に運動時間の計測を継続させることができる。
【００１７】
［適用例４］
上記適用例にかかる携帯型電子機器において、前記計時部が計測した前記休憩時間に関連する休憩情報を表示する表示部を備えることを特徴とする。
【００１８】
本適用例によれば、携帯型電子機器は表示部を備えている。表示部は計時部からの情報を表示する。そして、計時部が休憩時間を計測するとき、表示部は休憩時間に関連する休憩情報を表示する。従って、ユーザーは表示部を見て休憩を開始してから経過した時間等の情報を確認することができる。
【００１９】
［適用例５］
上記適用例にかかる携帯型電子機器において、前記処理部は、前記休憩時間の計測を開始した後に、前記体動信号に前記ユーザーの動きに基づく周期成分を所定期間検出すると、前記計時部による前記休憩時間の計測を終了することを特徴とする。
【００２０】
本適用例によれば、休憩時間の計測を開始した後では休憩時間の計測中になる。このとき、体動信号にユーザーの動きに基づく周期成分を所定期間検出すると、計時部による休憩時間の計測を終了する。従って、ユーザーが操作部の操作を忘れたときにも休憩時間の計測を終了することができる。
【００２１】
［適用例６］
本適用例にかかる携帯型電子機器であって、ユーザーの操作を受け付けて休憩開始を表すレスト開始信号を出力する操作部と、前記ユーザーの動きに基づく体動信号を出力する体動センサーと、前記ユーザーの休憩時間を計測する計時部と、少なくとも前記計時部からの情報を表示する表示部と、前記操作部、前記体動センサー、前記計時部及び前記表示部と電気的に接続された処理部と、を備え、前記処理部が前記レスト開始信号を検出せず、かつ所定条件を満たす前記体動信号を所定期間検出しなかった場合に、前記計時部は前記休憩時間の計測を開始し、前記表示部は前記休憩時間に関連する休憩情報を表示することを特徴とする。
【００２２】
本適用例によれば、携帯型電子機器は操作部、体動センサー、計時部、表示部及び処理部を備えている。操作部はユーザーの休憩開始を指示する操作を受け付けてレスト開始信号を出力する。体動センサーはユーザーの動きに基づく体動信号を出力する。計時部はユーザーが休憩する休憩時間を計測する。表示部は計時部からの情報を表示する。そして、処理部は操作部、体動センサー、計時部及び表示部と電気的に接続されている。
【００２３】
ユーザーが休憩開始を指示する操作を行うとき、操作部は処理部にレスト開始信号を出力する。そして、処理部は計時部に休憩時間の計測を開始させる。ユーザーが反復動作の動きをするとき、処理部が体動信号にユーザーの動きに基づく周期成分を検出する。処理部は所定条件を満たす体動信号を検出するとき、ユーザーが反復動作の動きをしていることを検出する。ユーザーが反復動作の動きをやめるとき、処理部には体動信号にユーザーの動きに基づく周期成分が検出されない。そして、ユーザーが休憩するときには反復動作が所定期間行われない。処理部は体動信号にユーザーの動きに基づく所定条件を満たす体動信号を所定期間検出しなかったとき、計時部に休憩時間の計測を開始させる。そして、計時部は休憩時間の計測を開始する。従って、ユーザーが休憩指示操作を忘れたときにも携帯型電子機器は休憩時間の計測を開始することができる。さらに、ユーザーは表示部を見て休憩を開始してから経過した時間等の休憩情報を確認することができる。
【００２４】
［適用例７］
上記適用例にかかる携帯型電子機器において、前記所定条件を満たす体動信号は、連続した周期成分を含む信号であることを特徴とする。
【００２５】
本適用例によれば、所定条件を満たす体動信号は、連続した周期成分を含む信号である。従って、ユーザーが反復動作を連続して行うとき、処理部は運動をしていることを検出することができる。
【００２６】
［適用例８］
本適用例にかかる携帯型電子機器であって、ユーザーの操作を受け付けて休憩終了を表すレスト終了信号を出力する操作部と、前記ユーザーの動きに基づく体動信号を出力する体動センサーと、前記ユーザーの休憩時間を計測する計時部と、前記操作部、前記体動センサー及び前記計時部と電気的に接続された処理部と、を備え、前記処理部が前記レスト終了信号を検出せず、かつ、前記ユーザーの動きに基づく周期成分を含む前記体動信号を検出する場合に、前記計時部は前記休憩時間の計測を終了することを特徴とする。
【００２７】
本適用例によれば、携帯型電子機器は操作部、体動センサー、計時部及び処理部を備えている。操作部はユーザーの休憩終了を指示する操作を受け付けてレスト終了信号を出力する。体動センサーはユーザーの動きに基づく体動信号を出力する。計時部はユーザーが休憩する休憩時間を計測する。そして、処理部は操作部、体動センサー及び計時部と電気的に接続されている。
【００２８】
ユーザーが休憩終了指示操作を行うとき、操作部は処理部にレスト終了信号を出力する。そして、処理部は計時部に休憩時間の計測を終了させる。ユーザーが休憩終了指示操作を行うことを忘れたとき、操作部は処理部にレスト終了信号を出力しない。そして、処理部は計時部に休憩時間の計測を継続させる。このときでも、ユーザーが反復動作の動きをするとき、処理部が体動信号にユーザーの動きに基づく周期成分を検出する。処理部は体動信号にユーザーの動きに基づく周期成分を検出するとき、計時部に休憩時間の計測を終了させる。そして、計時部は休憩時間の計測を終了する。従って、ユーザーが休憩終了を指示する操作を忘れたときにも携帯型電子機器は休憩時間の計測を終了することができる。
【００２９】
［適用例９］
上記適用例にかかる携帯型電子機器において、前記計時部は、前記ユーザーが運動する運動時間を計測し、前記操作部は、前記ユーザーの操作を受け付けて前記運動の終了を表す運動終了信号を出力し、前記処理部は、前記計時部が前記運動時間を計測中に前記運動終了信号を検出し、かつ、前記ユーザーの動きに基づく周期成分を含む体動信号を検出しないとき、前記計時部は前記運動時間の計測を終了し、前記計時部が前記運動時間を計測中に前記運動終了信号を検出し、かつ、前記ユーザーの動きに基づく周期成分を含む体動信号を検出するとき、前記計時部は前記運動時間の計測を継続することを特徴とする。
【００３０】
本適用例によれば、携帯型電子機器は休憩時間に加えて運動時間を計測する。操作部はユーザーの運動終了を指示する操作を受け付けて運動終了信号を出力する。計時部が運動時間を計測中に処理部が運動終了信号を検出し、かつ、処理部が周期成分を検出できないとき、計時部は運動時間の計測を終了する。つまり、ユーザーが反復動作を停止して運動終了指示操作をするときには、計時部は運動時間の計測を終了する。
【００３１】
計時部が運動時間を計測中に処理部が運動終了信号を検出し、かつ、処理部が周期成分を検出するとき、計時部は運動時間の計測を継続する。つまり、ユーザーが反復動作を継続して運動終了指示操作をするときには、計時部は運動時間の計測を継続する。従って、運動終了を指示する操作が誤操作であったときには、計時部は運動時間の計測を継続することができる。
【００３２】
［適用例１０］
上記適用例にかかる携帯型電子機器において、前記操作部が前記レスト終了信号を出力する時刻を記憶するメモリーを備え、ユーザーが編集を指示する操作を受け付けて前記操作部は編集信号を出力し、前記処理部は編集信号を検出して前記レスト終了信号が出力された時刻で前記休憩時間を終了することを特徴とする。
【００３３】
本適用例によれば、携帯型電子機器はメモリーを備え、メモリーは操作部がレスト終了信号を出力した時刻を記憶する。ユーザーが休憩時間の編集指示操作をするとき、操作部はユーザーの編集指示操作を受け付ける。そして、操作部は編集信号を処理部に出力する。処理部は編集信号を検出してレスト終了信号が出力された時刻で休憩時間を終了する。従って、レスト終了信号が誤操作でないときには休憩時間を正しい時間に修正することができる。
【００３４】
［適用例１１］
上記適用例にかかる携帯型電子機器において、前記休憩時間を計測するとき、前記休憩時間を表示する表示部を備えることを特徴とする。
【００３５】
本適用例によれば、携帯型電子機器は表示部を備えている。表示部は計時部からの情報を表示する。そして、計時部が休憩時間を計測するとき、表示部は休憩時間を表す情報を表示する。従って、ユーザーは表示部を見て休憩を開始してから経過した時間を確認することができる。
【図面の簡単な説明】
【００３６】
【図１】携帯型電子機器の設置例を説明するための模式図。
【図２】携帯型電子機器の電気制御ブロック図。
【図３】時間計測方法のフローチャート。
【図４】時間計測方法を説明するための図。
【図５】時間計測方法を説明するための図。
【図６】時間計測方法を説明するための図。
【図７】時間計測方法を説明するための図。
【図８】時間計測方法を説明するための図。
【図９】時間計測方法を説明するための図。
【図１０】休憩時間の計測工程のフローチャート。
【図１１】休憩時間の計測工程を説明するための図。
【図１２】休憩時間の計測工程を説明するための図。
【図１３】休憩時間の計測工程を説明するための図。
【図１４】休憩時間の計測工程を説明するための図。
【図１５】休憩時間の計測工程を説明するための図。
【図１６】休憩時間の計測工程を説明するための図。
【図１７】運動時間の計測工程のフローチャート。
【図１８】運動時間の計測工程を説明するための図。
【図１９】運動時間の計測工程を説明するための図。
【図２０】運動時間の計測工程を説明するための図。
【図２１】運動時間の計測工程を説明するための図。
【図２２】運動時間の計測工程を説明するための図。
【図２３】運動時間の計測工程を説明するための図。
【図２４】周期成分判定工程のフローチャート。
【図２５】周期成分判定工程を説明するための図。
【図２６】周期成分判定工程を説明するための図。
【図２７】周期成分判定工程を説明するための図。
【図２８】周期成分判定工程を説明するための図。
【図２９】周期成分判定工程を説明するための図。
【図３０】周期成分判定工程を説明するための図。
【図３１】周期成分判定工程を説明するための図。
【図３２】周期成分判定工程を説明するための図。
【図３３】周期成分判定工程を説明するための図。
【図３４】周期成分判定工程を説明するための図。
【図３５】周期成分判定工程を説明するための図。
【発明を実施するための形態】
【００３７】
以下、実施形態について図面に従って説明する。尚、各図面における各部材は、各図面上で認識可能な程度の大きさとするため、各部材毎に縮尺を異ならせて図示している。
【００３８】
（実施形態）
本実施形態では、携帯型電子機器と、この携帯型電子機器を用いて運動時間及び休憩時間を計測する時間計測方法との特徴的な例について、図に従って説明する。本実施形態にかかわる携帯型電子機器について図１及び図２に従って説明する。図１は、携帯型電子機器の設置例を説明するための模式図である。図１に示すように、携帯型電子機器１は略円板状の筐体２を備え、筐体２に接続してリストバンド３が設置されている。
【００３９】
リストバンド３をユーザー４の手首に巻きつけることにより携帯型電子機器１がユーザー４に設置される。筐体２の側面には複数の操作部としてのプッシュボタン５が設置されている。ユーザー４はプッシュボタン５を押して各種の指示を携帯型電子機器１に入力する。例えば、運動時間の計測を開始する指示や終了する指示をするときにユーザー４がプッシュボタン５を押す。他にも、例えば、休憩時間の計測を開始する指示や終了する指示をするときにユーザー４がプッシュボタン５を押す。
【００４０】
筐体２には表示部としての表示パネル６が設置されている。表示パネル６は現在の時刻、運動した時間、休憩した時間を表示する。表示パネル６には液晶表示装置、有機エレクトロルミネッセンスディスプレイ、プラズマディスプレイ、表面電界ディスプレイを用いることができる。
【００４１】
図２は携帯型電子機器の電気制御ブロック図である。図２において、携帯型電子機器１は演算処理や制御を行う処理部７を備えている。そして、処理部７はプロセッサーとして各種の演算処理を行うＣＰＵ８（中央演算処理装置）と、各種情報を記憶するメモリー９を備えている。体動センサー１０、計時部１１、操作部１２及び表示パネル６はデータバス１４を介して処理部７のＣＰＵ８と電気的に接続されている。
【００４２】
体動センサー１０はセンサー駆動部１５とセンサー駆動部１５に接続されたＸ加速度センサー１６、Ｙ加速度センサー１７及びＺ加速度センサー１８を備えている。センサー駆動部１５は駆動回路を備え、センサー駆動部１５はＸ加速度センサー１６、Ｙ加速度センサー１７及びＺ加速度センサー１８を駆動する。体動センサー１０には図示しないジャイロセンサーや気圧センサーが含まれている。ジャイロセンサーは角度変化を検出する。気圧センサーは携帯型電子機器１が水中と空中とのどちらの中にあるかを検出する。
【００４３】
Ｘ加速度センサー１６、Ｙ加速度センサー１７及びＺ加速度センサー１８はそれぞれ互いに直交する３方向に加わる加速度を検出してセンサー駆動部１５に出力する。これらの加速度センサーは圧電素子を備え、圧電素子は加速度に対応した電圧信号をセンサー駆動部１５に出力する。
【００４４】
センサー駆動部１５はＸ加速度センサー１６、Ｙ加速度センサー１７及びＺ加速度センサー１８から電圧信号を入力してデジタル信号へ変換する。センサー駆動部１５は処理部７と接続されており、データバス１４を介してＣＰＵ８及びメモリー９へ加速度を示すデータを出力する。この加速度を示すデータを体動信号という。
【００４５】
ユーザー４が水泳等の運動をするとき手を動かす。このとき、手の動きに伴って体動センサー１０が動かされる。体動センサー１０が動かされるとき、体動センサー１０に加速度が加わる。そして、体動センサー１０は手の動きに伴って生じる加速度を検出する。このようにして、体動センサー１０はユーザー４の動きに基づく体動信号を検出して処理部７へ出力する。
【００４６】
計時部１１は時間の経過を計測する。計時部１１は現在時刻の計測を行う。他にも、計時部１１はユーザー４が運動する運動時間を計測する。他にも、計時部１１はユーザー４が休憩する休憩時間を計測する。計時部１１は水晶振動子を有する発振回路と発信波形の周波数を低減する分周回路を備えている。従って、計時部１１は精度良く１／１００秒単位で時間を計測することができる。
【００４７】
操作部１２は、たとえば１つまたは複数のプッシュボタン５で構成することができる。複数のプッシュボタン５にはそれぞれ押されたときの指示内容が割り振られている。例えば、ユーザー４が休憩時間の計測を開始する指示をするために所定のプッシュボタン５を押す。このプッシュボタン５を押す操作を休憩開始指示操作とする。休憩開始指示操作は休憩開始を指示する操作である。そして、操作部１２はユーザー４の休憩開始指示操作を受け付けて休憩開始を表すレスト開始信号を処理部７へ出力する。このレスト開始信号は休憩時間の計測を開始する指示をする信号である。
【００４８】
他にも、例えば、ユーザー４が休憩時間の計測を終了する指示をするために所定のプッシュボタン５を押す。このプッシュボタン５を押す行為を休憩終了指示操作とする。休憩終了指示操作は休憩終了を指示する操作である。そして、操作部１２はユーザー４の休憩終了指示操作を受け付けて休憩終了を表すレスト終了信号を処理部７へ出力する。このレスト終了信号は休憩時間の計測を終了する指示をする信号である。
【００４９】
他にも、例えば、ユーザー４が運動時間の計測を開始する指示をするために所定のプッシュボタン５を押す。このプッシュボタン５を押す行為を運動開始指示操作とする。運動開始指示操作は運動開始を指示する操作である。そして、操作部１２はユーザー４の運動開始指示操作を受け付けて運動開始信号を処理部７へ出力する。この運動開始信号は運動時間の計測を開始する指示をする信号である。
【００５０】
他にも、例えば、ユーザー４が運動時間の計測を終了する指示をするために所定のプッシュボタン５を押す。このプッシュボタン５を押す行為を運動終了指示操作とする。運動終了指示操作は運動終了を指示する操作である。そして、操作部１２はユーザー４の運動終了指示操作を受け付けて運動終了信号を処理部７へ出力する。この運動終了信号は運動時間の計測を終了する指示をする信号である。
【００５１】
他にも、例えば、ユーザー４が運動時間の計測結果や休憩時間の計測結果を編集する指示をするために所定のプッシュボタン５を押す。このプッシュボタン５を押す行為を編集指示操作とする。編集指示操作は編集開始を指示する操作である。そして、操作部１２はユーザー４の編集指示操作を受け付けて編集信号を処理部７へ出力する。この編集信号は運動時間や休憩時間の計測結果を編集する指示をする信号である。
【００５２】
表示パネル６は少なくとも計時部１１からの情報を表示する。この情報には、現在時刻の他、運動時間、休憩時間が含まれる。他にも、体動センサー１０が示すデータを表示する。他にも、水泳を行ったときには手で水をかいた回数等が表示される。
【００５３】
メモリー９は、ＲＡＭ、ＲＯＭ等といった半導体メモリーを含む概念である。メモリー９は携帯型電子機器１の動作の制御手順が記述されたプログラム２１を記憶する。他にも、メモリー９は体動センサー１０が検出した体動信号を示す加速度データ２２を記憶する。他にも、メモリー９は体動信号に周期成分が検出可能か否かを判断する判定データ２３を記憶する。他にも、メモリー９はユーザー４が運動した時間である運動時間や、ユーザー４が休憩した時間である休憩時間等のデータである経過時間データ２４を記憶する。経過時間データ２４には運動開始時刻、運動終了時刻、休憩開始時刻及び休憩終了時刻も含まれる。他にも、メモリー９はＣＰＵ８のためのワークエリアやテンポラリーファイル等として機能する記憶領域やその他各種の記憶領域を備える。
【００５４】
ＣＰＵ８は、メモリー９内に記憶されたプログラム２１に従って、携帯型電子機器１が運動時間や休憩時間を計測する制御や演算処理を行うものである。具体的な機能実現部としてセンサー制御部２５を有する。センサー制御部２５は体動センサー１０に指示信号を出力し、Ｘ加速度センサー１６、Ｙ加速度センサー１７及びＺ加速度センサー１８を駆動させて体動信号を取得させる制御を行う。
【００５５】
他にも、ＣＰＵ８は分析データ形成部２６を有する。分析データ形成部２６は、たとえば８秒前から１秒前までの体動信号に１秒前から現在までの体動信号を結合して、８秒前から現在までの体動信号とする。そして、Ｘ加速度センサー１６、Ｙ加速度センサー１７及びＺ加速度センサー１８の各センサーが出力する体動信号を合成して１つの体動信号にする処理を行う。
【００５６】
他にも、ＣＰＵ８は周期性演算部２７を有する。周期性演算部２７は体動信号に周期性成分が含まれるか否かを分析する演算を行う。周期性演算部２７は分析した結果に周期性成分が含まれるか否かを分析した結果を出力する。
【００５７】
他にも、ＣＰＵ８は状態判定部２８を有する。状態判定部２８は操作部１２が出力する指示信号と周期性演算部２７が出力する周期性成分の分析結果を入力する。そして、指示信号及び周期性成分の分析結果を用いて状態判定部２８が運動時間の計測開始及び計測終了の判断を行う。さらに、休憩時間の計測開始及び計測終了の判断を行う。
【００５８】
他にも、ＣＰＵ８は計時データ記録部２９を有する。計時データ記録部２９は休憩時間の計測開始時刻及び計測終了時刻を経過時間データ２４の１つとしてメモリー９に記憶する。他にも、計時データ記録部２９は運動開始信号、運動終了信号、レスト開始信号、レスト終了信号を操作部１２が出力する時刻をメモリー９に経過時間データ２４の１つとして記憶する。
【００５９】
他にも、ＣＰＵ８は編集部３０を有する。編集部３０は操作部１２から編集信号を入力して運動時間や休憩時間の編集を行う。例えば、編集部３０は操作部１２から編集信号を入力してレスト終了信号が出力された時刻で休憩時間を終了する編集を行う。他にも、例えば、処理部７の編集部３０は操作部１２から編集信号を検出して運動終了信号が出力された時刻で運動時間を終了する編集を行う。
【００６０】
他にも、ＣＰＵ８は表示制御部３１を有する。表示制御部３１は、メモリー９の中からデータを抽出して表示パネル６に表示する画面データを形成する。そして、表示制御部３１は表示パネル６に画面データを出力して表示パネル６の表示画面を制御する。
【００６１】
次に上述した携帯型電子機器１を用いて運動時間及び休憩時間を計測する時間計測方法について図３〜図３５にて説明する。図３は、時間計測方法のフローチャートであり、図４〜図９は時間計測方法を説明するための図である。図３のフローチャートにおいて、ステップＳ１、ステップＳ３及びステップＳ４が並行して行われる。ステップＳ１はレスト開始指示判定工程に相当する。この工程では状態判定部２８がユーザー４からレスト開始指示があるか否かを判定する工程である。
【００６２】
レスト開始指示はユーザー４が休憩する休憩時間の計測を開始する指示である。ユーザー４がレスト開始指示を行うとき所定のプッシュボタン５を押すことで、操作部１２は処理部７にレスト開始信号を出力する。処理部７では計時データ記録部２９がレスト開始信号を検出した時刻をメモリー９に記憶する。処理部７では状態判定部２８が休憩時間の計測開始をするか否かの判断を行う。処理部７がレスト開始信号を検出しないとき、つまり、レスト開始指示入力無しのときステップＳ３へ移行する。処理部７がレスト開始信号を検出するとき、つまり、レスト開始指示入力有りのときステップＳ２へ移行する。
【００６３】
ステップＳ２は休憩時間の計測工程である。この工程は、計時部１１が休憩時間を計測する工程である。次にステップＳ７に移行する。
【００６４】
ステップＳ３は第１周期成分判定工程である。この工程は、体動センサー１０が出力する体動信号を処理部７が分析する。そして、処理部７の周期性演算部２７が、体動センサー１０が出力する体動信号にユーザー４の動きに基づく周期成分を検出するか、あるいは所定期間（たとえば５秒、１０秒、３０秒、６０秒のいずれか）の間に周期成分を検出しないかを判定し、判定結果を周期性演算部２７が状態判定部２８に出力する。
【００６５】
体動信号にユーザー４の動きに基づく周期成分を検出した場合、つまり、周期成分有りのとき状態判定部２８は次工程をスタートに戻る。体動信号にユーザー４の動きに基づく周期成分を所定期間の間に検出しなかった場合には状態判定部２８はステップＳ２に移行する。
【００６６】
ステップＳ１では処理部７がレスト開始信号を検出したときにはステップＳ２に移行する。処理部７がレスト開始信号を検出しないときにはステップＳ３に移行する。ステップＳ３では処理部７が、レスト開始信号を検出せず、かつ所定条件を満たす体動信号を所定期間検出しなかった場合に、ステップＳ２に移行する。そして、計時部１１は休憩時間の計測を開始し、表示パネル６は休憩時間に関連する休憩情報を表示する。この所定条件を満たす体動信号は、連続した周期成分を含む信号である。
【００６７】
つまり、処理部７がレスト開始信号を検出せず、かつ体動信号にユーザー４の動きに基づく周期成分を所定期間検出しなかった場合に、ステップＳ２に移行して計時部１１による休憩時間の計測を開始する。ここで、休憩情報とは、休憩している期間、休憩の開始時間等が含まれる情報を示す。また、あらかじめ設定された休憩時間やトレーニングのインターバル間隔がメモリー９に保存されている場合には、休憩時間の残り時間あるいは次のインターバル開始までの時間を、休憩情報として表示することができる。さらに、休憩情報は数字などのテキストでの情報だけでは無く、休憩していることを表すアイコンなどのオブジェクト、あるいは時間経過と連動して変化するオブジェクト、あるいはこれらの組合せによって表現される休憩に関する情報を含む。
【００６８】
従って、ユーザー４が休憩指示操作を忘れたときにも携帯型電子機器１は休憩時間の計測を開始することができる。さらに、ユーザー４は表示パネル６を見て休憩を開始してから経過した時間等の休憩情報を確認することができる。そして、所定条件を満たす体動信号は、連続した周期成分を含む信号である。従って、ユーザー４が反復動作を連続して行うとき、処理部７は運動をしていることを検出することができる。
【００６９】
ステップＳ１においてレスト開始信号を検出せず、かつステップＳ３において体動信号にユーザー４の動きに基づく周期成分を所定期間検出しなかった場合に、計時部１１による休憩時間の計測を開始する。従って、ユーザー４が運動開始を指示する操作をして休憩開始を指示する操作を忘れたときにも携帯型電子機器１は休憩時間の計測を開始することができる。
【００７０】
ステップＳ２では計時部１１が計測した休憩時間に関連する休憩情報を表示パネル６に表示する。休憩情報には休憩を示す文字やマーク、休憩時間の経過時間が含まれる。あらかじめ、休憩予定時間を設定してあるときには、休憩の残り時間が休憩情報に含まれる。従って、ユーザー４は表示パネル６を見て休憩を開始してから経過した時間等の情報を確認することができる。
【００７１】
ステップＳ４は運動開始指示判定工程である。この工程では状態判定部２８がユーザー４から運動開始指示があるか否かを判定する工程である。運動開始指示はユーザー４が運動する運動時間の計測を開始する指示である。ユーザー４が運動開始指示を行うとき所定のプッシュボタン５を押す。操作部１２は運動開始指示を検出して処理部７に運動開始信号を出力する。処理部７では計時データ記録部２９が運動開始信号を検出した時刻をメモリー９に記憶する。処理部７が運動開始信号を検出しないとき、つまり、運動開始指示入力無しのときスタートへ移行する。処理部７が運動開始信号を検出するとき、つまり、運動開始指示入力有りのときステップＳ５へ移行する。
【００７２】
ステップＳ１とステップＳ４とは平行して行われるので、処理部７が運動開始信号を検出した後で、処理部がレスト開始信号を検出する場合がある。このとき、ステップＳ２に移行して計時部１１による休憩時間の計測を開始する。従って、ユーザー４の指示に基づいて確実に計時部１１による休憩時間の計測を開始することができる。
【００７３】
ステップＳ５は第２周期成分判定工程である。この工程は、体動センサー１０が出力する体動信号を処理部７が入力する。そして、処理部７では周期性演算部２７が体動信号にユーザー４の動きに基づく周期成分を抽出する。ユーザー４の動きに基づく周期成分を検出するか所定期間の間に検出しないかの結果を周期性演算部２７が状態判定部２８に出力する。
【００７４】
体動信号にユーザー４の動きに基づく周期成分を検出した場合、つまり、周期成分有りのとき状態判定部２８は次工程をステップＳ６にして移行する。体動信号にユーザー４の動きに基づく周期成分を所定期間検出しなかった場合には状態判定部２８は次工程をステップＳ２にして移行する。
【００７５】
ステップＳ５では処理部７が運動開始信号を検出し、かつ体動信号にユーザー４の動きに基づく周期成分を所定期間検出しなかった場合に、ステップＳ２に移行して計時部１１による休憩時間の計測を開始する。従って、ユーザー４が休憩するときに操作部１２の操作を間違えたときにも携帯型電子機器１は休憩時間の計測を開始することができる。
【００７６】
ステップＳ６は運動時間の計測工程である。この工程では、計時部１１が運動時間を計測する工程である。次にステップＳ７に移行する。ステップＳ７は編集工程である。この工程は、ユーザー４が編集を指示する操作するとき、操作部１２はこの操作を受け付けて編集信号を処理部７に出力する。処理部７では編集部３０が編集信号を検出してレスト終了信号が出力された時刻で休憩時間を終了する編集を行う。
【００７７】
メモリー９には操作部１２がレスト終了信号を出力した時刻が記憶されている。ユーザー４が休憩時間の編集指示操作をするとき、操作部１２はユーザー４の編集指示操作を受け付ける。そして、操作部１２は編集信号を処理部７に出力する。処理部７は編集信号を検出してレスト終了信号が出力された時刻で休憩時間を終了する。従って、レスト終了信号が誤操作でないときには休憩時間を正しい時間に修正することができる。
【００７８】
同様に、メモリー９には操作部１２が運動終了信号を出力した時刻が記憶されている。ユーザー４が運動時間の編集指示操作をするとき、操作部１２はユーザー４の編集指示操作を受け付ける。そして、操作部１２は編集信号を処理部７に出力する。処理部７は編集信号を検出して運動終了信号が出力された時刻で運動時間を終了する。従って、運動終了信号が誤操作でないときには運動時間を正しい時間に修正することができる。ステップＳ７が終了するときには運動時間を計測する時間計測の工程を終了する。引き続き、再度スタートから再開しても良い。尚、ステップＳ７の編集工程は必須の構成では無く、ステップＳ７を省略して時間計測フローを終了するか、スタートへ戻るように構成しても良い。
【００７９】
次に、図４〜図９を用いて、図３に示したステップと対応させて、運動時間及び休憩時間を計測する時間計測方法を詳細に説明する。図４〜図６はステップＳ１のレスト開始指示判定工程、ステップＳ２の休憩時間の計測工程及びステップＳ３の第１周期成分判定工程に対応する図である。図４〜図６において、横軸は時間の経過を示し図中左側から右側へ時間が経過している。縦軸にはレスト開始信号の有りと無し、周期成分の有りと無し、休憩時間の計測の計測中と非計測とが示されている。
【００８０】
図４に示すように、レスト開始信号が無しの状態で、体動信号にユーザー４の動きに基づく周期成分が検出されるとき、ステップＳ１からステップＳ３を経てスタートへ戻る。そして、休憩時間は非計測の状態になる。
【００８１】
図５に示すように、レスト開始信号が有りになるとき、ステップＳ１からステップＳ２へ移行する。そして、休憩時間の計測が開始される。このとき、体動信号にユーザー４の動きに基づく周期成分が検出されるときにも、休憩時間の計測が開始される。
【００８２】
図６に示すように、レスト開始信号が無しの状態で、体動信号にユーザー４の動きに基づく周期成分が検出されなくなるとき、ステップＳ１からステップＳ３を経てステップＳ２へ移行する。そして、休憩時間の計測が開始される。
【００８３】
ユーザー４が休憩するときには反復動作が所定期間行われない。処理部７は体動信号にユーザー４の動きに基づく周期成分を所定期間検出できないとき、計時部１１に休憩時間の計測を開始させる。そして、計時部１１は休憩時間の計測を開始する。従って、ユーザー４が休憩するときに操作部１２の操作をし忘れたときにも携帯型電子機器１は休憩時間の計測を開始することができる。
【００８４】
図７〜図９はステップＳ４の運動開始指示判定工程、ステップＳ５の第２周期成分判定工程及びステップＳ６の運動時間の計測工程に対応する図である。図７〜図９において、横軸は時間の経過を示し図中左側から右側へ時間が経過している。縦軸には運動開始信号の有りと無し、周期成分の有りと無し、運動時間の計測中と非計測及び休憩時間の計測の計測中と非計測が示されている。
【００８５】
図７に示すように、運動開始信号が無しの状態で、体動信号にユーザー４の動きに基づく周期成分が検出されないとき、ステップＳ４を反復する。そして、運動時間は非計測の状態になる。そして、休憩時間は計測中の状態になる。
【００８６】
図８に示すように、運動開始信号が有りになるとき、ステップＳ４からステップＳ５へ移行する。そして、体動信号にユーザー４の動きに基づく周期成分が所定期間としての第１期間３２の間に検出されるときステップＳ６に移行して運動時間の計測が開始される。休憩時間の計測が終了して非計測状態になる。
【００８７】
図９に示すように、運動開始信号が有りになるとき、ステップＳ４からステップＳ５へ移行する。そして、体動信号にユーザー４の動きに基づく周期成分が所定期間としての第１期間３２の間に検出されないときステップＳ２に移行して運動時間の計測は非計測の状態が継続される。休憩時間の計測は継続中の状態が継続される。
【００８８】
図１０は、休憩時間の計測工程のフローチャートであり、ステップＳ２の休憩時間の計測工程を詳しく示した図である。図１１〜図１６は休憩時間の計測工程を説明するための図である。ステップＳ１１は休憩時間の計測開始工程に相当する。この工程では計時部１１が休憩時間の計測を開始する工程である。計時部１１は現在時刻の計測をする。さらに、休憩時間の計測を行う。予め、休憩終了時刻が設定されているときには休憩終了時刻までの残り時間の演算を行う。
【００８９】
次にステップＳ１２に移行する。ステップＳ１２は休憩情報の表示開始工程である。この工程は、表示パネル６が休憩時間に関連する休憩情報を表示する工程である。計時部１１が休憩時間を計測するとき、休憩時間を表す休憩情報を表示パネル６に表示する。次にステップＳ１３に移行する。ステップＳ１３は休憩開始時刻のメモリー記憶工程である。この工程は、休憩を開始した時刻をメモリー９に記憶する工程である。次にステップＳ１４に移行する。
【００９０】
ステップＳ１４はレスト終了指示判定工程である。この工程は、状態判定部２８がユーザー４からレスト終了指示があるか否かを判定する工程である。
【００９１】
レスト終了指示はユーザー４が休憩する休憩時間の計測を終了する指示である。ユーザー４がレスト終了指示を行うとき所定のプッシュボタン５を押す。操作部１２はレスト終了指示を検出して処理部７にレスト終了信号を出力する。処理部７では計時データ記録部２９がレスト終了信号を検出した時刻をメモリー９に記憶する。処理部７では状態判定部２８が休憩時間の計測終了をするか否かの判断を行う。処理部７がレスト終了信号を検出しないとき、つまり、レスト終了指示入力無しのときステップＳ１５へ移行する。処理部７がレスト終了信号を検出するとき、つまり、レスト終了指示入力有りのときステップＳ１６へ移行する。
【００９２】
ステップＳ１５は第３周期成分判定工程である。この工程は、体動センサー１０が出力する体動信号を処理部７が入力する。そして、処理部７では周期性演算部２７が体動信号にユーザー４の動きに基づく周期成分を抽出する。ユーザー４の動きに基づく周期成分を検出しないか所定期間の間に検出するかの結果を周期性演算部２７が状態判定部２８に出力する。
【００９３】
体動信号にユーザー４の動きに基づく周期成分を検出しない場合、つまり、ユーザー４が休憩を継続しており、周期成分無しのとき状態判定部２８は次工程をステップＳ１４にして移行する。体動信号にユーザー４の動きに基づく周期成分を所定期間検出する場合には状態判定部２８は次工程をステップＳ１６にして移行する。
【００９４】
ステップＳ１６は休憩時間の計測終了工程である。この工程は、計時部１１が休憩時間の計測を終了する工程である。次にステップＳ１７に移行する。ステップＳ１７は休憩情報の表示終了工程である。この工程は、表示パネル６が休憩時間に関連する休憩情報の表示を終了する工程である。次にステップＳ１８に移行する。ステップＳ１８は休憩終了時刻のメモリー記憶工程である。この工程は、休憩を終了した時刻を計時データ記録部２９がメモリー９に記憶する工程である。以上のステップで休憩時間の計測工程を終了する。
【００９５】
図１１及び図１２はステップＳ１２の休憩時間の表示開始工程に対応する図である。ステップＳ１２では表示パネル６に休憩時間に関連する計測情報を表示する。図１１及び図１２は表示パネルに示される休憩時間に関連する計測情報の表示例を示す。図１１に示すように、表示パネル６には現在時刻３３、休憩開始時刻３４、経過時間３５及び休憩文字３６が表示される。経過時間３５は休憩開始時刻３４から現在時刻３３までの時間を示している。時間の経過にともなって経過時間３５は増加する。休憩文字３６は休憩状態を示す文字の例である。他にも、図形で休憩情報を表示しても良い。
【００９６】
計時部１１が休憩時間を計測するとき、表示パネル６は休憩時間を表す経過時間３５の情報を休憩情報として表示する。従って、ユーザー４は表示パネル６を見て休憩を開始してから経過した時間を確認することができる。
【００９７】
図１２に示すように、表示パネル６には現在時刻３３、休憩終了設定時刻３７、終了までの残り時間３８及び休憩文字３６が表示される。休憩終了設定時刻３７はユーザー４が設定した時間であり、休憩を終了する予定の時刻が表示されている。終了までの残り時間３８は現在時刻３３から休憩終了設定時刻３７までの時間を示している。時間の経過にともなって終了までの残り時間３８は減少する。ステップＳ１３の休憩開始時刻のメモリー記憶工程では計時データ記録部２９が休憩開始時刻をメモリー９に記憶する。
【００９８】
図１３〜図１６はステップＳ１４のレスト終了指示判定工程、ステップＳ１５の第３周期成分判定工程及びステップＳ１６の休憩時間の計測終了工程に対応する図である。図１３〜図１５において、横軸は時間の経過を示し図中左側から右側へ時間が経過している。縦軸にはレスト終了信号の有りと無し、周期成分の有りと無し及び休憩時間の計測中と非計測とが示されている。
【００９９】
図１３に示すように、レスト終了信号が無しの状態で、体動信号にユーザー４の動きに基づく周期成分が検出されないとき、休憩時間の計測は計測中の状態になる。レスト終了信号が無しのとき、ステップＳ１４からステップＳ１５へ移行する。ユーザー４が休憩を継続し体動信号にユーザーの動きに基づく周期成分が無いときステップＳ１４へ移行する。
【０１００】
図１４に示すように、レスト終了信号が有りになるとき、ステップＳ１４からステップＳ１６へ移行する。そして、計時部１１による休憩時間の計測を終了する。休憩時間の計測は非計測の状態になる。
【０１０１】
図１５に示すように、レスト終了信号が有りになるとき、ステップＳ１４からステップＳ１６へ移行する。休憩時間の計測を開始した後に、体動信号にユーザー４の動きに基づく周期成分を検出しないときにも、計時部１１による休憩時間の計測を終了する。そして、休憩時間の計測は非計測の状態になる。
【０１０２】
図１６に示すように、レスト終了信号が無しのとき、ステップＳ１４からステップＳ１５へ移行する。休憩時間の計測を開始した後に、体動信号にユーザー４の動きに基づく周期成分を所定期間としての第２期間４１の間検出すると、計時部１１による休憩時間の計測を終了する。そして、休憩時間の計測は非計測の状態に移行する。従って、ユーザー４が操作部１２を操作し忘れるときにも休憩時間の計測を終了することができる。
【０１０３】
ステップＳ１６の休憩時間の計測終了工程では計時部１１が休憩時間の計測を終了する。ステップＳ１７の休憩情報の表示終了工程では、経過時間３５や終了までの残り時間３８の表示の切り替えを停止する。つまり、経過時間３５及び終了までの残り時間３８が示す値が変化しない。ステップＳ１８の休憩終了時刻のメモリー記憶工程では計時データ記録部２９が休憩を終了した時刻をメモリー９に記憶する。
【０１０４】
図１７は、運動時間の計測工程のフローチャートであり、図１８〜図２３は運動時間の計測工程を説明するための図である。ステップＳ２１は運動時間の計測開始工程に相当する。この工程では計時部１１が運動時間の計測を開始する工程である。計時部１１は現在時刻の計測をする。さらに、運動時間の計測を行う。予め、運動終了予定時刻が設定されているときには運動終了予定時刻までの残り時間の演算を行う。
【０１０５】
次にステップＳ２２に移行する。ステップＳ２２は運動時間の表示開始工程である。この工程は、表示パネル６が運動時間に関連する計測情報を表示する工程である。次にステップＳ２３に移行する。ステップＳ２３は運動開始時刻のメモリー記憶工程である。この工程は、運動を開始した時刻を計時データ記録部２９がメモリー９に記憶する工程である。次にステップＳ２４に移行する。
【０１０６】
ステップＳ２４は運動終了指示判定工程である。この工程は、状態判定部２８がユーザー４から運動終了指示があるか否かを判定する工程である。
【０１０７】
運動終了指示はユーザー４が運動する運動時間の計測を終了する指示である。ユーザー４が運動終了指示を行うとき所定のプッシュボタン５を押す。操作部１２は運動終了指示を検出して処理部７に運動終了信号を出力する。処理部７では運動終了信号を検出して計時データ記録部２９が運動終了時刻をメモリー９に記憶する。そして、処理部７は状態判定部２８が運動時間の計測終了をするか否かの判断を行う。処理部７が運動終了信号を検出しないとき、つまり、運動終了指示入力無しのときステップＳ２６へ移行する。処理部７が運動終了信号を検出するとき、つまり、運動終了指示入力有りのときステップＳ２５へ移行する。
【０１０８】
ステップＳ２５は第４周期成分判定工程である。この工程は、体動センサー１０が出力する体動信号を処理部７が入力する。そして、処理部７では周期性演算部２７が体動信号にユーザー４の動きに基づく周期成分を抽出する。ユーザー４の動きに基づく周期成分を検出しないか所定期間検出するかの結果を周期性演算部２７が状態判定部２８に出力する。
【０１０９】
体動信号にユーザー４の動きに基づく周期成分を検出する場合、つまり、ユーザー４が運動を継続しており、周期成分有りのとき状態判定部２８は次工程をステップＳ２４にして移行する。体動信号にユーザー４の動きに基づく周期成分を所定期間検出しない場合には状態判定部２８は次工程をステップＳ２８にして移行する。
【０１１０】
ステップＳ２６は第５周期成分判定工程である。この工程では、体動センサー１０が出力する体動信号を処理部７が入力する。そして、処理部７では周期性演算部２７が体動信号にユーザー４の動きに基づく周期成分を抽出する。ユーザー４の動きに基づく周期成分を検出しないか所定期間検出するかの結果を周期性演算部２７が状態判定部２８に出力する。
【０１１１】
体動信号にユーザー４の動きに基づく周期成分を検出する場合、つまり、ユーザー４が運動を継続しており、周期成分有りのとき状態判定部２８は次工程をステップＳ２４にして移行する。体動信号にユーザー４の動きに基づく周期成分を検出しない場合には状態判定部２８は次工程をステップＳ２７にして移行する。
【０１１２】
ステップＳ２７は第６周期成分判定工程である。この工程では、所定期間の間体動センサー１０が出力する体動信号を処理部７が入力する。そして、処理部７では周期性演算部２７が体動信号にユーザー４の動きに基づく周期成分を抽出する。ユーザー４の動きに基づく周期成分を検出しないか所定期間検出するかの結果を周期性演算部２７が状態判定部２８に出力する。
【０１１３】
所定期間の間に体動信号にユーザー４の動きに基づく周期成分を検出する場合、つまり、ユーザー４が運動を継続しており、周期成分有りのとき状態判定部２８は次工程をステップＳ２４にして移行する。このとき、ユーザー４が短時間の運動停止をするときにも、運動停止時間が所定期間以内のときには状態判定部２８は次工程をステップＳ２４にして移行する。体動信号にユーザー４の動きに基づく周期成分を所定期間の間検出しない場合には状態判定部２８は次工程をステップＳ２８にして移行する。
【０１１４】
ステップＳ２６において計時部１１が運動時間を計測中に処理部７が周期成分を検出しない状態になってからステップＳ２７において所定期間以内に周期成分を検出するとき、ステップＳ２４に移行する。そして、計時部１１は運動時間の計測を継続する。
【０１１５】
ユーザー４が反復動作をするときユーザー４が運動する運動時間を計時部１１が計測する。ユーザー４が反復動作を停止するとき、処理部７は周期成分を検出しない状態になる。ユーザー４が所定期間以内に反復動作を再開するとき、処理部７が周期成分を検出しない状態になってから所定期間以内に周期成分を検出する。このとき、処理部７は計時部１１に運動時間の計測を継続させる。従って、ユーザー４が反復動作を所定期間以内の間で停止しても再開するときには、計時部１１が運動時間を継続して計測する。例えば、ユーザー４が水泳をしているときにプールの壁でターンをして、しばらくの間腕の伸ばしたまま進行することがある。このときにも、所定期間内にユーザー４が腕を動かす反復動作をするときには、計時部１１が運動時間の計測を継続する。従って、運動中に反復動作を所定期間以内で停止しても、ユーザー４は携帯型電子機器１に運動時間の計測を継続させることができる。
【０１１６】
ステップＳ２８は運動時間の計測終了工程である。この工程は、計時部１１が運動時間の計測を終了する工程である。次にステップＳ２９に移行する。ステップＳ２９は運動時間の表示終了工程である。この工程は、表示パネル６が運動時間に関連する計測情報の表示を終了する工程である。次にステップＳ３０に移行する。ステップＳ３０は運動終了時刻のメモリー記憶工程である。この工程は、運動を終了した時刻を計時データ記録部２９がメモリー９に記憶する工程である。以上のステップで運動時間の計測工程を終了する。
【０１１７】
図１８はステップＳ２２の運動時間の表示開始工程に対応する図である。ステップＳ２２では表示パネル６に運動時間に関連する計測情報を表示する。図１８は表示パネルに示される運動時間に関連する計測情報の表示例を示す。図１８に示すように、表示パネル６には現在時刻３３、運動開始時刻４２、経過時間４３及び運動文字４４が表示される。経過時間４３は運動開始時刻４２から現在時刻３３までの時間を示している。時間の経過にともなって経過時間４３は増加する。運動文字４４は運動状態を示す文字の例である。他にも、図形で運動状態を表示しても良い。
【０１１８】
他にも、表示パネル６に運動終了予定設定時刻、終了予定時刻までの残り時間等の情報を表示しても良い。運動終了予定設定時刻はユーザー４が設定した時間であり、運動を終了する予定の時刻である。終了予定時刻までの残り時間は現在時刻３３から運動終了予定設定時刻までの時間を示している。時間の経過にともなって終了までの残り時間は減少する。ステップＳ２３の運動開始時刻のメモリー記憶工程では計時データ記録部２９が運動開始時刻をメモリー９に記憶する。
【０１１９】
図１９〜図２３はステップＳ２４の運動終了指示判定工程〜ステップＳ２８の運動時間の計測終了工程に対応する図である。図１９〜図２３において、横軸は時間の経過を示し図中左側から右側へ時間が経過している。縦軸には運動終了信号の有りと無し、周期成分の有りと無し及び運動時間の計測中と非計測が示されている。
【０１２０】
図１９に示すように、運動終了信号が無しの状態で、体動信号にユーザー４の動きに基づく周期成分が検出されるとき、運動時間の計測は計測中の状態になる。運動終了信号が無しのとき、ステップＳ２４からステップＳ２６へ移行する。ユーザー４が運動を継続し体動信号にユーザーの動きに基づく周期成分が有るときステップＳ２６からステップＳ２４へ移行する。
【０１２１】
図２０に示すように、運動終了信号が有りになるとき、ステップＳ２４からステップＳ２５へ移行する。計時部１１が運動時間を計測中に処理部７が運動終了信号を検出し、かつ、ユーザー４の動きに基づく周期成分を含む体動信号を所定期間としての第３期間４５の間検出しないとき、計時部１１は運動時間の計測を終了する。そして、運動時間の計測は非計測の状態になる。
【０１２２】
図２１に示すように、運動終了信号が有りになるとき、ステップＳ２４からステップＳ２５へ移行する。計時部１１が運動時間を計測中に処理部７が運動終了信号を検出し、かつ、ユーザー４の動きに基づく周期成分を含む体動信号を第３期間４５の間に検出するとき、計時部１１は運動時間の計測を継続する。
【０１２３】
ユーザー４が反復動作を継続して運動終了指示操作をするときには、計時部１１は運動時間の計測を継続する。従って、運動終了を指示する操作が誤操作であったときには、計時部１１は運動時間の計測を継続することができる。例えば、ユーザー４が水泳をしてターンするとき、腕に設置した携帯型電子機器１のプッシュボタン５がプールの壁にあたることがある。このときにも、ユーザー４が水泳を継続するときには、計時部１１は運動時間の計測を継続する。
【０１２４】
図２２に示すように、運動終了信号が無しのとき、ステップＳ２４からステップＳ２６へ移行する。運動時間の計測を開始した後に、体動信号にユーザー４の動きに基づく周期成分を検出しないときにはステップＳ２７へ移行する。ステップＳ２７では所定期間としての第４期間４６の間にユーザー４の動きに基づく周期成分を検出できるか否かを確認する。計時部１１が運動時間を計測中に処理部７が周期成分を検出しない状態になってから第４期間４６以内に周期成分を検出しないときにはステップＳ２７からステップＳ２８に移行する。ステップＳ２８では計時部１１が運動時間の計測を終了する。これにより、運動時間の計測は非計測の状態になる。
【０１２５】
図２３に示すように、計時部１１が運動時間を計測中に処理部７が周期成分を検出しない状態になってから第４期間４６以内に周期成分を検出するときにはステップＳ２７からステップＳ２４に移行する。そして、計時部１１は運動時間の計測を継続する。これにより、運動時間の計測は計測中の状態が継続される。
【０１２６】
ユーザー４が反復動作を停止するとき、処理部７は周期成分を検出しない状態になる。ユーザー４が第４期間４６以内に反復動作を再開するとき、処理部７は周期成分を検出しない状態になってから第４期間４６以内に周期成分を検出する。このとき、処理部７は計時部１１に運動時間の計測を継続させる。従って、ユーザー４が反復動作を停止しても、所定期間以内に反復動作を再開するとき計時部１１は運動時間を継続して計測する。その結果、ユーザー４は携帯型電子機器１に運動時間の計測を継続させることができる。
【０１２７】
例えば、ユーザー４が水泳中にコースロープに触れて態勢をくずし、立ち止まることがある。このときにも、ユーザー４が第４期間４６の間に水泳を再開するときには計時部１１による運動時間の計測が継続される。
【０１２８】
ステップＳ２８の運動時間の計測終了工程では計時部１１が運動時間の計測を終了する。ステップＳ２９の運動時間の表示終了工程では、経過時間４３の表示の切り替えを停止する。つまり、経過時間４３が示す値が変化しない。ステップＳ３０の運動終了時刻のメモリー記憶工程では処理部７の計時データ記録部２９が運動を終了した時刻をメモリー９に記憶する。ステップＳ３０が終了したとき運動時間の計測工程が終了する。
【０１２９】
図２４は、周期成分判定工程のフローチャートである。周期成分判定工程にはステップＳ３の第１周期成分判定工程、ステップＳ５の第２周期成分判定工程、ステップＳ１５の第３周期成分判定工程、ステップＳ２５の第４周期成分判定工程、ステップＳ２６の第５周期成分判定工程及びステップＳ２７の第６周期成分判定工程が含まれる。
【０１３０】
ステップＳ４１は分析データ形成工程に相当する。この工程では計時部１１が計測した時間のデータを用いて分析データ形成部２６が短期分析データを形成する工程である。短期分析データは短期間の分析データを示す。ステップＳ４２は短期周期性判定工程である。この工程は、短期分析データにユーザー４の動きに基づく周期性が含まれているか否かを判定する工程である。短期分析データに周期性があると判定したときにはステップＳ４３に移行する。短期分析データに周期性がないと判定したときにはステップＳ４５に移行する。
【０１３１】
ステップＳ４３は第１時刻記憶工程である。この工程は、周期性演算部２７が短期分析データを計時部１１が計測した時刻を記憶する工程である。この短期分析データは、周期性演算部２７が”周期性有り”と判定したデータである。次にステップＳ４４に移行する。ステップＳ４４は第１カウント工程である。この工程は、周期性演算部２７が”周期性有り”と連続して判定した回数を数える工程である。”周期性有り”と連続して判定した回数を周期性有り回数とする。次にステップＳ４７に移行する。
【０１３２】
ステップＳ４５は第２時刻記憶工程である。この工程は、短期分析データを計時部１１が計測した時刻を記憶する工程である。この短期分析データは、周期性演算部２７が”周期性無し”と判定したデータである。次にステップＳ４６に移行する。ステップＳ４６は第２カウント工程である。この工程は、周期性演算部２７が”周期性無し”と連続して判定した回数を数える工程である。”周期性無し”と連続して判定した回数を周期性無し回数とする。次にステップＳ４７に移行する。
【０１３３】
ステップＳ４７は周期性判定工程である。この工程は、周期性演算部２７が分析データにユーザー４の動きに基づく周期性が含まれているか否かを判定する工程である。周期性演算部２７は周期性有り回数が４回以上のとき分析データは“周期性有り”と判断する。また、周期性演算部２７は周期性無し回数が４回以上のとき分析データは“周期性無し”と判断する。
【０１３４】
そして、周期性演算部２７は周期性有り回数が４回未満であり、かつ、周期性無し回数が４回未満のとき“判定が未決”であると判定する。“判定が未決”のときは次に、ステップＳ４１に移行する。“周期性有り”または“周期性無し”と判断したときには周期成分判定工程を終了する。
【０１３５】
図２５〜図３５は周期成分判定工程を説明するための図である。次に、図２５〜図３５を用いて、図２４に示したステップと対応させて、周期成分判定工程を詳細に説明する。図２５〜図３２において横軸は時間の経過を示し図中左側から右側へ時間が経過している。縦軸には体動センサー１０が検出した加速度を示してしる。この加速度はユーザー４が腕を動かすときに携帯型電子機器１が受ける加速度である。図中上側が＋側を示し下側が−側を示している。＋側及び−側はセンサーの向きに依存する。詳細な説明は省略する。
【０１３６】
図２５〜図２８はステップＳ４１の分析データ形成工程に対応する図である。図２５はユーザー４が休憩しているので周期的な運動をしていない状態を示す。このとき、加速度は小さな値になっている。分析データ形成部２６は体動センサー１０から１秒分のデータを入手する。そして、分析データ形成部２６は８秒前から１秒前までの体動信号に１秒前から現在までの体動信号を結合して、８秒前から現在までの体動信号を形成する。従って、短期分析データは８秒分の体動信号になっている。尚、体動センサー１０がデータを取得する周波数であるサンプリング周波数は特に限定されないが、周期的運動が検出可能であれば良く２０Ｈｚ〜１００Ｈｚが好ましい。さらには、３０Ｈｚ〜４０Ｈｚが好ましい。このとき、データ数を演算可能な個数にするとともに、周期的運動を検出可能な個数にできる。
【０１３７】
図２６はユーザー４が周期的な運動を開始した状態を示す。従って、短期分析データには−８〜−１秒の間に周期成分がなく、−１〜０秒までの間に周期成分が含まれる。
【０１３８】
図２７はユーザー４が周期的な運動を開始してから１．５秒後経た状態を示す。短期分析データには−８〜−２秒の間に周期成分がなく、−２〜０秒までの間に周期成分が含まれる。
【０１３９】
図２８はユーザー４が周期的な運動を開始してから２．５秒後経た状態を示す。短期分析データには−８〜−３秒の間に周期成分がなく、−３〜０秒までの間に周期成分が含まれる。このように、短期分析データは８秒分のデータで構成されているので、ユーザー４が周期的な運動を開始した直後には短期分析データに含まれる周期成分が少ない。反復動作を開始してから時間が経過するにつれて、短期分析データに含まれる周期成分が増加する。
【０１４０】
分析データ形成部２６では−１〜０秒までの間に周期成分が含まれるとき、データを入手した時刻をメモリー９に記憶する。また、短期分析データの−８〜−１秒までは周期成分があり、−１〜０秒までの間に周期成分が含まれないときにも、データを入手した時刻をメモリー９に記憶する。従って、ステップＳ４７の周期性判定工程で判定したとき、周期成分有りなしの変化が生じた時刻がわかるようになっている。
【０１４１】
図２９〜図３５はステップＳ４２の短期周期性判定工程に対応する図である。図２９はＸ加速度センサー１６が検出した加速度の推移を示している。図３０はＹ加速度センサー１７が検出した加速度の推移を示している。図３１はＺ加速度センサー１８が検出した加速度の推移を示している。
【０１４２】
ユーザー４の腕の動きは３次元空間を移動するので、Ｘ加速度センサー１６、Ｙ加速度センサー１７及びＺ加速度センサー１８はそれぞれ検出する波形が異なる波形になっている。周期性演算部２７は３つの加速度センサーの出力を主成分分析法の手法を用いて、図３２に示す第１主成分の加速度波形を算出する。この第１主成分の加速度波形は加速度の分散が大きくなるように座標回転させた加速度波形である。この第１主成分の加速度波形を短期分析データとする。第２主成分および第３主成分は利用しない。
【０１４３】
図３３は加速度データの分布図である。そして、この分布図は同一時刻にＸ加速度センサー１６、Ｙ加速度センサー１７及びＺ加速度センサー１８が検出した加速度をそれぞれ（Ｘ、Ｙ、Ｚ）の座標データとしてプロットした散布図の概念を示す図である。加速度（Ｘ、Ｙ、Ｚ）の分布は１つの方向に長い楕円体となる。このときに、楕円体の長軸の方向が第１主成分軸である。そして、加速度（Ｘ、Ｙ、Ｚ）の値から第１主成分軸に垂線を引いたとき、第１主成分軸上の値を加速度（Ｘ、Ｙ、Ｚ）の第１主成分とする。そして、各加速度（Ｘ、Ｙ、Ｚ）の第１主成分を演算することにより図３２に示す第１主成分の加速度波形が得られる。
【０１４４】
図３４及び図３５は短期分析データの自己相間関数を示す波形である。自己相間関数を示す波形を自己相間波形という。自己相間関数は公知であり説明を省略する。図３４は周期成分が多いときの自己相間波形であり、図３５は周期成分が少ないときの自己相間波形である。波形において図中上側に突出する部分を山とし図中下側に突出する部分を谷とする。遅れ時間が０のときに山になる波形のピークを第１ピーク４７とする。第１ピーク４７の図中右隣の谷の最も凹んだ点を第１ボトム４８とする。さらに、第１ボトム４８の図中右隣の山の最も突出する点を第２ピーク４９とする。さらに、第２ピーク４９の図中右隣の谷の最も凹んだ点を第２ボトム５０とする。
【０１４５】
第１ピーク４７と第２ピーク４９との差をピーク差５１とする。第１ボトム４８と第２ピーク４９との差を第１波高５２とする。第２ボトム５０と第２ピーク４９との差を第２波高５３とする。メモリー９には波形の周期成分を判定する判定データ２３がメモリー９に記憶されている。判定データ２３にはピーク差判定値５４及び波高判定値５５が含まれる。
【０１４６】
周期性演算部２７は第１判定から第３判定の３つの判定を行い短期分析データの周期成分の有無を判定する。第１判定ではピーク差５１とピーク差判定値５４とを比較する。ピーク差５１がピーク差判定値５４以下のとき“周期成分有り”と判定する。第２判定では第１波高５２と波高判定値５５とを比較する。第１波高５２が波高判定値５５以上のとき“周期成分有り”と判定する。第３判定では第２波高５３と波高判定値５５とを比較する。第２波高５３が波高判定値５５以上のとき“周期成分有り”と判定する。
【０１４７】
そして、第１判定、第２判定及び第３判定が総て“周期成分有り”のとき短期分析データは“周期成分有り”と判定する。第１判定、第２判定及び第３判定のうち１つでも“周期成分無し”のとき短期分析データは“周期成分無し”と判定する。
【０１４８】
図３４の自己相間波形ではピーク差５１がピーク差判定値５４以下であり、第１判定は“周期成分有り”と判定される。第１波高５２は波高判定値５５以上であり、第２判定は“周期成分有り”と判定される。第２波高５３は波高判定値５５以上であり、第３判定は“周期成分有り”と判定される。第１判定、第２判定及び第３判定が総て“周期成分有り”と判定される。従って、短期分析データは“周期成分有り”と判定される。
【０１４９】
図３５の自己相間波形ではピーク差５１がピーク差判定値５４以上であり、第１判定は“周期成分無し”と判定される。第１波高５２は波高判定値５５未満であり、第２判定は“周期成分無し”と判定される。第２波高５３は波高判定値５５未満であり、第３判定は“周期成分無し”と判定される。第２判定及び第３判定が“周期成分無し”と判定される。従って、短期分析データは“周期成分無し”と判定される。
【０１５０】
このように、ピーク差５１、第１波高５２及び第２波高５３を用いて周期成分の有無を判定することにより、フーリエ変換をするときに比べて短時間で判定することができる。ステップＳ４２の後ステップＳ４３〜ステップＳ４７を行って周期成分判定工程を終了する。
【０１５１】
上述したように、本実施形態によれば、以下の効果を有する。
（１）本実施形態によれば、携帯型電子機器１は操作部１２、体動センサー１０、計時部１１及び処理部７を備えている。操作部１２はユーザー４が休憩開始を指示する操作を受け付けてレスト開始信号を出力する。体動センサー１０はユーザー４の動きに基づく体動信号を出力する。計時部１１はユーザー４が休憩する休憩時間を計測する。そして、処理部７は操作部１２、体動センサー１０及び計時部１１と電気的に接続されている。
【０１５２】
ユーザー４が休憩開始を指示する操作を行うとき、操作部１２は処理部７にレスト開始信号を出力する。そして、処理部７は計時部１１に休憩時間の計測を開始させる。ユーザー４が反復動作の動きをするとき、処理部７が体動信号にユーザー４の動きに基づく周期成分を検出する。ユーザー４が反復動作の動きをやめるとき、処理部７には体動信号にユーザー４の動きに基づく周期成分が検出されない。そして、ユーザー４が休憩するときには反復動作が所定期間行われない。処理部７は体動信号にユーザー４の動きに基づく周期成分を所定期間検出できないとき、計時部１１に休憩時間の計測を開始させる。そして、計時部１１は休憩時間の計測を開始する。従って、ユーザー４が休憩するときに操作部１２の操作をし忘れたときにも携帯型電子機器１は休憩時間の計測を開始することができる。
【０１５３】
（２）本実施形態によれば、ユーザー４が運動開始を指示する操作を行うとき、操作部１２は運動開始を指示をする操作を受け付けて運動開始信号を処理部７に出力する。その後で、ユーザー４が休憩開始を指示する操作を行うとき、操作部１２は休憩開始を指示する操作を受け付けてレスト開始信号を処理部７に出力する。このとき、処理部７は運動開始信号を検出した後で、レスト開始信号を検出する。そして、処理部７は計時部１１に休憩時間の計測を開始させるので、計時部１１による休憩時間の計測が開始される。従って、ユーザー４の指示に基づいて確実に計時部１１による休憩時間の計測を開始することができる。
【０１５４】
ユーザー４が運動開始を指示する操作を行うとき、操作部１２は運動開始を指示する操作を受け付けて運動開始信号を処理部７に出力する。その後で、ユーザー４が反復動作の動きをしないとき、処理部７には体動信号にユーザー４の動きに基づく周期成分が検出されない。体動信号にユーザー４の動きに基づく周期成分が処理部７に所定期間検出されないとき、計時部１１に休憩時間の計測を開始させる。そして、計時部１１は休憩時間の計測を開始する。従って、ユーザー４が運動開始を指示する操作をして休憩開始を指示する操作を忘れたときにも携帯型電子機器１は休憩時間の計測を開始することができる。
【０１５５】
（３）本実施形態によれば、計時部１１は休憩時間に加えてユーザー４が運動する運動時間を計測する。そして、ユーザー４が反復動作をするときユーザー４が運動する運動時間を計時部１１が計測する。ユーザー４が反復動作を停止するとき、処理部７は周期成分を検出しない状態になる。ユーザー４が所定期間以内に反復動作を再開するとき、処理部７が周期成分を検出しない状態になってから所定期間以内に周期成分を検出する。このとき、処理部７は計時部１１に運動時間の計測を継続させる。従って、ユーザー４が反復動作を所定期間以内で停止しても再開するときには、計時部１１が運動時間を継続して計測する。その結果、ユーザー４が運動中に反復動作を所定期間以内で停止しても、ユーザー４は携帯型電子機器１に運動時間の計測を継続させることができる。
【０１５６】
（４）本実施形態によれば、携帯型電子機器１は表示パネル６を備えている。表示パネル６は計時部１１からの情報を表示する。そして、計時部１１が休憩時間を計測するとき、表示パネル６は休憩時間に関連する休憩情報を表示する。従って、ユーザー４は表示パネル６を見て休憩を開始してから経過した時間等の情報を確認することができる。
【０１５７】
（５）本実施形態によれば、休憩時間の計測を開始した後では休憩時間の計測中になる。このとき、体動信号にユーザー４の動きに基づく周期成分を所定期間検出すると、計時部１１による休憩時間の計測を終了する。従って、ユーザー４が操作部１２の操作を忘れるときにも休憩時間の計測を終了することができる。
【０１５８】
（６）本実施形態によれば、携帯型電子機器１は操作部１２、体動センサー１０、計時部１１、表示パネル６及び処理部７を備えている。操作部１２はユーザー４の休憩開始を指示する操作を受け付けてレスト開始信号を出力する。体動センサー１０はユーザー４の動きに基づく体動信号を出力する。計時部１１はユーザー４が休憩する休憩時間を計測する。表示パネル６は計時部１１からの情報を表示する。そして、処理部７は操作部１２、体動センサー１０、計時部１１及び表示パネル６と電気的に接続されている。
【０１５９】
ユーザー４が休憩開始を指示する操作を行うとき、操作部１２は処理部７にレスト開始信号を出力する。そして、処理部７は計時部１１に休憩時間の計測を開始させる。ユーザー４が反復動作の動きをするとき、処理部７が体動信号にユーザー４の動きに基づく周期成分を検出する。処理部７は所定条件を満たす体動信号を検出するとき、ユーザー４が反復動作の動きをしていることを検出する。
【０１６０】
ユーザー４が反復動作の動きをやめるとき、処理部７には体動信号にユーザー４の動きに基づく周期成分が検出されない。そして、ユーザー４が休憩するときには反復動作が所定期間行われない。処理部７は体動信号にユーザー４の動きに基づく所定条件を満たす体動信号を所定期間検出しなかったとき、計時部１１に休憩時間の計測を開始させる。そして、計時部１１は休憩時間の計測を開始する。従って、ユーザー４が休憩指示操作を忘れたときにも携帯型電子機器１は休憩時間の計測を開始することができる。さらに、ユーザー４は表示パネル６を見て休憩を開始してから経過した時間等の休憩情報を確認することができる。
【０１６１】
（７）本実施形態によれば、所定条件を満たす体動信号は、連続した周期成分を含む信号である。従って、ユーザー４が反復動作を連続して行うとき、処理部７は運動をしていることを検出することができる。
【０１６２】
（８）本実施形態によれば、携帯型電子機器１は操作部１２、体動センサー１０、計時部１１及び処理部７を備えている。操作部１２はユーザー４の休憩終了を指示する操作を受け付けてレスト終了信号を出力する。体動センサー１０はユーザー４の動きに基づく体動信号を出力する。計時部１１はユーザー４が休息する休憩時間を計測する。そして、処理部７は操作部１２、体動センサー１０及び計時部１１と電気的に接続されている。
【０１６３】
ユーザー４が休憩終了指示操作を行うとき、操作部１２は処理部７にレスト終了信号を出力する。そして、処理部７は計時部１１に休憩時間の計測を終了させる。ユーザー４が休憩終了指示操作を行うことを忘れるとき、操作部１２は処理部７にレスト終了信号を出力しない。そして、処理部７は計時部１１に休憩時間の計測を継続させる。このときでも、ユーザー４が反復動作の動きをするとき、処理部７が体動信号にユーザーの動きに基づく周期成分を検出する。処理部７は体動信号にユーザー４の動きに基づく周期成分を検出するとき、計時部１１に休憩時間の計測を終了させる。そして、計時部１１は休憩時間の計測を終了する。従って、ユーザー４が休憩終了を指示する操作を忘れたときにも携帯型電子機器１は休憩時間の計測を終了することができる。
【０１６４】
（９）本実施形態によれば、携帯型電子機器１は休憩時間に加えて運動時間を計測する。操作部１２はユーザー４の運動終了を指示する操作を受け付けて運動終了信号を出力する。計時部１１が運動時間を計測中に処理部７が運動終了信号を検出し、かつ、処理部７が周期成分を検出できないとき、計時部１１は運動時間の計測を終了する。つまり、ユーザー４が反復動作を停止して運動終了指示操作をするときには、計時部１１は運動時間の計測を終了する。
【０１６５】
計時部１１が運動時間を計測中に処理部７が運動終了信号を検出し、かつ、処理部７が周期成分を検出するとき、計時部１１は運動時間の計測を継続する。つまり、ユーザー４が反復動作を継続して運動終了指示操作をするときには、計時部１１は運動時間の計測を継続する。従って、運動終了を指示する操作が誤操作であったときには、計時部１１は運動時間の計測を継続することができる。
【０１６６】
（１０）本実施形態によれば、携帯型電子機器１はメモリー９を備え、メモリー９は操作部１２がレスト終了信号を出力した時刻を記憶する。ユーザー４が運動時間の編集指示操作をするとき、操作部１２はユーザー４の編集指示操作を受け付ける。そして、操作部１２は編集信号を処理部７に出力する。処理部７は編集信号を検出してレスト終了信号が出力された時刻で休憩時間を終了する。従って、レスト終了信号が誤操作でないときには休憩時間を正しい時間に修正することができる。
【０１６７】
（１１）本実施形態によれば、携帯型電子機器１は表示パネル６を備えている。表示パネル６は計時部１１からの情報を表示する。そして、計時部１１が休憩時間を計測するとき、表示パネル６は休憩時間を表す情報を表示する。従って、ユーザー４は表示パネル６を見て休憩を開始してから経過した時間を確認することができる。
【０１６８】
尚、本実施形態は上述した実施形態に限定されるものではなく、本発明の技術的思想内で当分野において通常の知識を有する者により種々の変更や改良を加えることも可能である。変形例を以下に述べる。
（変形例１）
前記の実施形態では、体動センサー１０に加速度センサーが用いられた。加速度センサー以外にもジャイロセンサーを用いることができる。ジャイロセンサーを携帯型電子機器１に設置したとき、ユーザー４が周期運動を行うときにジャイロセンサーが周期成分を含む信号を出力する。従って、ジャイロセンサーを体動センサー１０として活用することができる。
【０１６９】
（変形例２）
前記の実施形態では、表示パネル６に秒単位の計測値を表示した。表示パネル６には１／１００秒単位の計測値を表示しても良い。ユーザー４がさらに細かく時間を分析することができる。
【０１７０】
（変形例３）
前記の実施形態では、ステップＳ４２の短期周期性判定工程において、波形に周期成分が含まれるかを判定した。このとき、ピーク差５１をピーク差判定値５４と比較した。さらに、第１波高５２及び第２波高５３を波高判定値５５と比較した。波形に周期成分が含まれるかを判定する方法はこれに限らない。離散フーリエ変換法を用いても良い。他にも各種の周期成分を判定する方法を用いても良い。
【０１７１】
（変形例４）
前記の実施形態に示すように、プッシュボタン５は１つでも良く、複数ででも良い。プッシュボタン５が１つのときには次のように、ユーザー４の状況（運動中、休憩中）に応じて、１つのボタン操作で異なる信号を出力する形態にしても良い。
【０１７２】
運動中にボタンを押した第１ケースのときには、操作部１２からレスト開始信号が処理部７へ出力される。そして、処理部７が体動信号にユーザー４の動きに基づく周期成分を検出しないときには、計時部１１が休憩時間計測を開始する。
【０１７３】
休憩中に第１ケースと同じボタンを押した第２ケースのときには、操作部１２からレスト終了信号が処理部７へ出力される。そして、処理部７が体動信号にユーザー４の動きに基づく周期成分を検出するときには、計時部１１が休憩時間計測を終了する。このようにすることによりプッシュボタン５は１つでも休憩時間計測の開始と終了との切替えを行うことができる。
【０１７４】
（変形例５）
前記の実施形態では、図３においてステップＳ３の第１周期信号判定工程及びステップＳ５の第２周期信号判定工程はともに処理部７が体動信号にユーザー４の動きに基づく周期成分を検出するか否かを判定した。従って、ステップＳ３及びステップＳ５を１つのステップに統合しても良い。そして、状態に応じて分岐させるようにしても良い。
【０１７５】
同様に、図１７においてステップＳ２６の第５周期信号判定工程及びステップＳ２７の第６周期信号判定工程はともに処理部７が体動信号にユーザー４の動きに基づく周期成分を検出するか否かを判定した。従って、ステップＳ２６及びステップＳ２７を１つのステップに統合しても良い。そして、状態に応じて分岐させるようにしても良い。
【符号の説明】
【０１７６】
１…携帯型電子機器、４…ユーザー、５…操作部としてのプッシュボタン、６…表示部としての表示パネル、７…処理部、９…メモリー、１０…体動センサー、１１…計時部、１２…操作部。
【図１】
2019017634.tif 000003
【図２】
2019017634.tif 000004
【図３】
2019017634.tif 000005
【図４】
2019017634.tif 000006
【図５】
2019017634.tif 000007
【図６】
2019017634.tif 000008
【図７】
2019017634.tif 000009
【図８】
2019017634.tif 000010
【図９】
2019017634.tif 000011
【図１０】
2019017634.tif 000012
【図１１】
2019017634.tif 000013
【図１２】
2019017634.tif 000014
【図１３】
2019017634.tif 000015
【図１４】
2019017634.tif 000016
【図１５】
2019017634.tif 000017
【図１６】
2019017634.tif 000018
【図１７】
2019017634.tif 000019
【図１８】
2019017634.tif 000020
【図１９】
2019017634.tif 000021
【図２０】
2019017634.tif 000022
【図２１】
2019017634.tif 000023
【図２２】
2019017634.tif 000024
【図２３】
2019017634.tif 000025
【図２４】
2019017634.tif 000026
【図２５】
2019017634.tif 000027
【図２６】
2019017634.tif 000028
【図２７】
2019017634.tif 000029
【図２８】
2019017634.tif 000030
【図２９】
2019017634.tif 000031
【図３０】
2019017634.tif 000032
【図３１】
2019017634.tif 000033
【図３２】
2019017634.tif 000034
【図３３】
2019017634.tif 000035
【図３４】
2019017634.tif 000036
【図３５】
2019017634.tif 000037